(57)【要約】【課題】  色材の総量が規制されるデバイスとプリント・メディアの組合せにおいて、ユーザー側が煩雑な作業を経ず容易に、ＩＣＣプロファイル作成用カラー・パッチ・データの作成を容易にすること。【解決手段】  画像形成装置に関する情報を入力して記憶する第１の記憶手段、カラー・マッチングのためのプロファイル情報を得るための複数のカラー・パッチを表すカラー・パッチ・データを入力して記憶する第２の記憶手段、および記憶手段に記憶した情報およびカラー・パッチ・データから、画像形成装置に最適化したプロファイル作成用チャート用のデータを生成する手段として機能させるプログラムを備える。画像形成装置に関する情報には、色材の総量に関する情報と、記録材に関する情報を含み、最適化したプロファイル作成用チャート用のデータは、制限された色材の量を超えるカラー・パッチを含まない。【選択図】  図５
2006203367.tif 000002
【特許請求の範囲】
【請求項１】
画像形成装置に対する、カラー・マッチングのためのプロファイル作成用チャートのデータを作成するためのコンピュータにより実行されるプログラムであって、
前記画像形成装置に関する情報を入力させ、
カラー・マッチングのためのプロファイル情報を得るための複数のカラー・パッチを表すカラー・パッチ・データを入力させ、
前記入力された前記情報およびカラー・パッチ・データから、前記画像形成装置用のプロファイル作成用チャート用のデータを生成させる
ことを特徴とするプログラム。
【請求項２】
前記画像形成装置に関する情報は、複数のそれぞれ異なる画像形成装置からいずれかを指定するための情報と、前記画像形成装置で記録する複数のそれぞれ異なる記録材に関する情報である、
ことを特徴とする請求項１に記載のプログラム。
【請求項３】
前記画像形成装置に対して、生成した前記プロファイル作成用チャート用のデータを送る手段をさらに備えることを特徴とする請求項１又は２に記載のプログラム。
【請求項４】
前記複数のプロファイル作成用チャート用のデータのうちの一つを選択し、前記画像形成装置に対して選択した前記プロファイル作成用チャート用のデータを送る手段をさらに備えることを特徴とする請求項１又は２に記載のプログラム。
【請求項５】
前記画像形成装置はインク・ジェツト・プリンタと電子写真プリンタを含むことを特徴とする請求項１又は２に記載のプログラム。
【請求項６】
前記画像形成装置は、複数の色材を使用して記録材上にカラー画像を形成する際に、形成する画像の各ポイントに対して前記各色材の総量規制を実行することが必要な画像形成装置であり、
前記生成されたプロファイル作成用チャート用のデータは、前記情報に含まれる前記総量規制に関する情報に基づいて生成され、前記画像形成装置の前記総量規制に適合したデータを備えることを特徴とする請求項１又は２に記載のプログラム。
【請求項７】
デバイスを選択させる第一の操作部を表示させ、
プリント・メディアを選択させる第二の操作部を表示させ、
前記第一、第二の操作部から決まる色材総量に基づきプロファイル作成のためのカラー・パッチ画像データを作成することを特徴とする画像処理方法。
【請求項８】
前記カラー・パッチを測定させる測色機を選択させる操作部を表示させることを特徴とする請求項７に記載の画像処理方法。
【請求項９】
請求項７に記載のプログラムが格納された記憶媒体。
【発明の詳細な説明】
【技術分野】
【０００１】
本発明は、カラー・パッチ・データを作成する画像処理方法、プログラムならびに記憶媒体に関する。
【背景技術】
【０００２】
カラー画像を処理して、そのカラー画像を出力機器、たとえばプリンタに出力して、結果として得られた記録材上の画像の色再現を制御する仕組みとして、民間の標準化団体ＩＣＣ（International Color Consortium）が提唱するＣＭＳ（Color Management System）がある。ここで使用されるフォーマットとしてＩＣＣプロファイルがあり、これは、スキャナ、プリンタ、ディスプレイの色再現特性を記述するフォーマットである。
【０００３】
ＩＣＣプロファイルを作成する場合には、そのデバイス（スキャナ、プリンタ、ディスプレイ）の色再現特性を把握する必要がある、そのためには、ＲＧＢやＣＭＹＫといった信号をデバイスに流してそれがデバイスに依存しない色空間（例えばＬａｂ）でどのような色になるのかを関係付ける必要がある。
【０００４】
一般的に、出力機器としてのプリンタのプロファイル作成においては、画像形成にＣＭＹＫの４色の色材を使用するので、原理的には、既知の各色成分Ｃ、Ｍ、Ｙ、Ｋの４色の信号の合計（信号和と呼ぶ）の範囲として０〜４００％となり、この範囲の信号和から構成されるプロファイル作成用チャートをデバイスから出力し、測色機にて測色値を取得する必要がある。
【０００５】
たとえば、ＣＭＹＫプリンタに対して、ＩＴ８やその他チャートはＣＭＹＫのあらゆる組合せを網羅しており、ＣＭＹＫの色材の総量規制（たとえば、トナーの飛散やインクの未乾燥を防止するための規制）については考慮していない。一方、デバイスとプリント・メディアの組合せによっては、たとえば、色材の総量にリミットを設けざるを得ない場合がある。トナーを使用するプリンタにおいては、転写部あるいは記録紙上に保持可能なトナー量も無限ではなく、実際には、各色トナーの最大載り量を機種ごとに設定しているのが実情である。このような状況下にあるデバイスとプリント・メディアに対してＩＴ８やその他チャートを出力させた場合、信号和がこのリミットを越えたチャート（カラー・パッチ）の部分は、色材（インク、あるいはトナー）が紙の上で溢れた状態となって、プロファイル作成用チャートを正常に、出力することができないことになる。このことは、プロファイルを作成することができないケースが存在することを意味する。
【０００６】
また、インクが溢れない状態、あるいはトナーが飛散しない場合であっても、実際の色再現性やトナー定着性などの点から、色材の総量に実質的な制限が存在する場合、その制限を超える色パッチに関しては色味が保証されているとは考えられず、従って、そのようなパッチは補間計算の参考値に用いることができないので、パッチ数の無駄となる。
【０００７】
そこで色材の総量を制限したプロファイル作成用チャートを考慮する場合、総量の制限値を任意（たとえば、２４０％〜４００％の範囲）で数値入力し（たとえば、引用文献１参照）、その制限値に応じて、信号和の最大値が４００％のプロファイル作成用チャートを、信号和の最大値が制限値以下になるように、コンバートする方法が用いられている。
【０００８】
【特許文献１】特開２００４−４０１８４号公報
【発明の開示】
【発明が解決しようとする課題】
【０００９】
しかしながら、この方法ではプリンタとプリント・メディアの組合せごとに、ユーザーが総量の制限値の最適値を見つけ出しに試行錯誤することになり、従って煩雑な作業となり、また結果として、（特定のデバイスやプリント・メディアに対する）総量規制値の最適値を見つけることができない可能性が多い。そこで、デバイス（プリンタ、複写機、ファクシミリ装置等）とプリント・メディアの組合せに対して、総量規制値としての最適値を設定しておき、ユーザーが、デバイスあるいはデバイスに対して信号を出力するコンピュータ装置のユーザー・インターフェース（ＵＩと略す）（たとえば、パーソナル・コンピュータのディスプレイ画面、キーボードやポインティング・デバイス）上で、デバイスとプリント・メディアの組合せを選ぶだけで、煩雑な作業を行うことなく、最適なプロファイル作成用チャートのデータを作成し、対応するデバイスを通して対応するプリント・メディア上に出力できることが望まれている。
【００１０】
本発明は、上述の点に鑑みてなされたもので、デバイスとプリント・メディアの組合せについてのユーザー選択を受けて、その組合せに最適化された色材の総量を設定し、この設定された色材の総量が反映されたプロファイル作成用チャートデータを生成し、その結果、最適なプロファイルを生成することが可能となる技術を提供することを目的とする。
【課題を解決するための手段】
【００１１】
上記目的を達成するために、本発明のプログラムは、画像形成装置に対する、カラー・マッチングのためのプロファイル作成用チャートのデータを作成するためのコンピュータにより実行されるプログラムであって、前記画像形成装置に関する情報を入力させ、カラー・マッチングのためのプロファイル情報を得るための複数のカラー・パッチを表すカラー・パッチ・データを入力させ、前記入力された前記情報およびカラー・パッチ・データから、前記画像形成装置用のプロファイル作成用チャート用のデータを生成させることを特徴とする。
【００１２】
また、前記画像形成装置に関する情報は、複数のそれぞれ異なる画像形成装置からいずれかを指定するための情報と、前記画像形成装置で記録する複数のそれぞれ異なる記録材に関する情報であることを特徴とする。
【００１３】
また、前記画像形成装置に対して、生成した前記プロファイル作成用チャート用のデータを送る手段をさらに備えることを特徴とする。
【００１４】
また、前記複数のプロファイル作成用チャート用のデータのうちの一つを選択し、前記画像形成装置に対して選択した前記プロファイル作成用チャート用のデータを送る手段をさらに備えることを特徴とする。
【００１５】
また、前記画像形成装置はインク・ジェツト・プリンタと電子写真プリンタを含むことを特徴とする。
【００１６】
また、前記画像形成装置は、複数の色材を使用して記録材上にカラー画像を形成する際に、形成する画像の各ポイントに対して前記各色材の総量規制を実行することが必要な画像形成装置であり、前記生成されたプロファイル作成用チャート用のデータは、前記情報に含まれる前記総量規制に関する情報に基づいて生成され、前記画像形成装置の前記総量規制に適合したデータを備えることを特徴とする。
【００１７】
また、本発明は画像処理方法であって、デバイスを選択させる第一の操作部を表示させ、プリント・メディアを選択させる第二の操作部を表示させ、前記第一、第二の操作部から決まる色材総量に基づきプロファイル作成のためのカラー・パッチ画像データを作成することを特徴とする。
【００１８】
また、この方法は、前記カラー・パッチを測定させる測色機を選択させる操作部を表示させることを特徴とする。
【発明の効果】
【００１９】
以上のように構成することにより、デバイスとプリント・メディアの組合せに対して適切なカラー・パッチを生成可能となる、又係る処理を容易に実現できる。
【発明を実施するための最良の形態】
【００２０】
以下、図面を参照しながら本発明に係る実施形態を詳細に説明する。
【００２１】
図１は、本実施例のＩＣＣプロファイルを作成するアプリケーション全体のフローである。このフローの処理の一部あるいは大部分は、たとえば、パーソナル・コンピュータ上で実行することが可能である。
【００２２】
図１において、ブロック１００は、プリセットされたプリンタ・データ・ファイルを示していて、そのプリンタ固有の情報（たとえば、色材の種類とそれらの規制等）が格納されている。ブロック１０２で指定されたプリント・メディアから、ブロック１０１のカラー・パッチのデータ・ファイルを呼び出して、ブロック１０３でカラー・パッチ・データを生成している。同時に、ブロック１０２ではプリセット・プリンタを指定することで、ブロック１００からパラメータを読み込むことも、直接、ブロック１０２でパラメータを指定することもできる。ブロック１０４では、ブロック１０２で生成したカラー・パッチ画像それぞれの信号値と、そのカラー・パッチ画像を測色して得たＬａｂ値の関係、すなわちＣＭＹＫ−Ｌａｂの関係を読み込んで、それをブロック１０５でロードし、メモリ空間上に記憶する。もしくはブロック１０５で直接ＣＭＹＫ−Ｌａｂの関係を測色することも可能である。ブロック１０６では測色値と設定されたパラメータ（カラー・パッチ画像それぞれの信号値）からプロファイルをビルドする部分である。ブロック１０７ではビルドしたプロファイルを保存する部分で、ここでファイル化することによってブロック１０８のＩＣＣプロファイルが作成される。
【００２３】
ブロック１０６のビルド部についてさらに詳しく表したのが図２である。ブロック１０９で測色値とパラメータを取得し、ブロック１１０でＧａｍｕｔ（色再現域）内外を判定し、タグ・データにする。ブロック１１１ではＰｅｒｃｅｐｔｕａｌ（写真調）のＬａｂ→ＣＭＹＫの関係をタグにして、ブロック１１２ではＣｏｌｏｒｉｍｅｔｒｉｃ（色差最小）のＬａｂ→ＣＭＹＫの関係をタグにし、ブロック１１３ではＳａｔｕｒａｔｉｏｎ（彩度優先）のＬａｂ→ＣＭＹＫの関係をタグ化する。ブロック１１４ではブロック１１０〜ブロック１１３までタグ化したデータを整形して保存する、というプロセスを経る。
【００２４】
Ｃｏｌｏｒｉｍｅｔｒｉｃに関するブロック１１２を詳細に表したのが図３、図４である。Ｃｏｌｏｒｉｍｅｔｒｉｃのタグは、ＣＭＹＫ→Ｌａｂの変換表Ａ２Ｂ１と、これをもとにして、この逆変換表Ｂ２Ａ１の二つのタグが作成される。そこでＡ２Ｂ１タグの作成について詳細にしたものが図３、Ｂ２Ａ１タグの作成について詳細に表したのが図４である。
【００２５】
図３のブロック１１５では予めパラメータで指定されたＬＵＴのグリッドによってＣＭＹＫの配列を決定する。ブロック１１７の測色値と生成したブロック１１８のカラー・パッチ・データ参照しながら任意のＣＭＹＫ配列に対するＬａｂを１１６で補間計算する。このブロック１１６ですべてのＣＭＹＫに対するＬａｂ値が判明するため、測色したデバイスの色空間が判明する。ここで基準の色空間に比べてどの程度の大きさかを見ながらブロック１１９でＬａｂをＬＣｈに直して彩度を圧縮する。さらにブロック１２０でＬＣｈをＬａｂに整形し、ブロック１２１でＣＭＹＫに対してＬａｂの値をＬＵＴ形式に整理してタグ化し、ブロック１２２でＩＣＣ保存という形をとる。
【００２６】
図４のＢ２Ａ１ではまず、ブロック１２３で任意のグリッド数で均等分割したＲＧＢ配列を作成し、ブロック１２５ではブロック１２４で生成された色材の総量に依存したカラー・パッチ・データとある一定の法則をもってＲＧＢ→ＣＭＹＫへ変換し、ブロック１２６では指定されたパラメータ（墨版生成カーブ）によってＫの量を制限した上でＣＭＹＫ濃度を補正し、ブロック１２７で任意のＲＧＢに対するＣＭＹＫ値を定義する。ＣＭＹＫ値に対するＬａｂ値はブロック１２８の測色値を参照できるため、ブロック１３０ではＲＧＢ値に対するＬａｂ値を定義することができる。これをこのデバイスのデバイスＲＧＢと考える。ブロック１３１ではプロファイル・コネクション・スペースで入ってきたＬａｂ値をすべてＬＵＴ化してブロック１３２ではデバイスの色空間の大きさにより任意のＬａｂグリッドに対して彩度圧縮をかける。その上でブロック１３３において色差最小の色空間圧縮を行う。ブロック１３４ではブロック１２７の配列、ブロック１３０の配列、ブロック１３２の配列を利用して任意のＬａｂグリッドに対するＣＭＹＫ値を求めることができる。ブロック１３５ではブロック１３４において求めたＬａｂ−ＣＭＹＫの関係をタグ化し、ＩＣＣプロファイルとして保存する。
【００２７】
本発明を、図１を使用してさらに詳しく説明する。図１のブロック１０２で、プリント・メディアとデバイスを指定し、ブロック１０３でカラー・パッチ画像を生成する。言い換えれば、ユーザーがプリント・メディアを指定し、さらに、予め用意されているプリセットのプリンタ・データ・ファイルを指定し、この指定に基づいて、カラー・パッチ画像データを生成し、実際にプロファイル作成用チャートが生成される。従来においては、このプリント・メディアにどの程度の色材が載るかについてはユーザー側で色材の総量を実際に試す必要があることや、色材の総量の定義が曖昧なため、ユーザー側の混乱を生じさせる原因となっていた。
【００２８】
しかし、カラー・パッチ画像を印刷する際のプリント・メディアとデバイスの指定、言い換えればプリント・メディアとデバイスを指定した際のＩＣＣプロファイルを生成する際のカラー・パッチ画像データを生成する際に、これらの指定を行って、出力デバイスとプリント・メディアの組合せに関して予めメーカー側でプリセットした値（信号和の最大値）を使用するようにすることで、ユーザーが誤った設定を行ったり、あるいは、適切な設定値を得るために長時間を費やしたりすることなく、自動的に、適切な設定値が反映されたカラー・パッチ画像データを得ることができる。
【００２９】
本発明の一実施例においては、出力デバイスとプリント・メディアの組合せに関するプリセット値は、以下のようなユーザー・インターフェースを備えて提供される。このユーザー・インターフェース（ＵＩ）は、ユーザーが容易に選択できるように、図６のような形での表示が提供される。このような表示は、本発明のプログラムが実行されるコンピュータに接続された、ディスプレイ・デバイスを使用して実行される。本発明の一実施例における、カラー・パッチ・データ生成のフローを図５に示す。
【００３０】
たとえば、図６のようなユーザー・インターフェース上で、ブロック１３６で、ユーザーはデバイスを選択し、さらにブロック１３７で、所望するプリント・メディアを選択する。このようなユーザー選択は、本発明のプログラムが実行されるコンピュータに接続されたキーボードやポインティング・デバイスなどのＵＩを介して、入力することができる。なお、図６においては、デバイスとしてカラーレーザーＡが選択され、プリント・メディアとしてプリントメディアＤが選択されていることを示している。
【００３１】
次に、図７のように表示されたＵＩを使用して、ユーザーは、ブロック１３８で後述する生成されたカラー・パッチを測色させるための測色機を選択する。
【００３２】
ブロック１４０において、ブロック１３６で選ばれたデバイスと、ブロック１３７で選ばれたプリント・メディアから、自動的にその組合せで決定される色材の総量を取り出し、色材の総量が４００％の場合において記憶しておいたカラー・パッチ情報（ブロック１３９）からのデータを、取り出した色材の総量に基づいて変換し、新たに、色材の総量が制限されたカラー・パッチ画像データを作成（ブロック１４１）し、ブロック１４２でその（印刷された）カラー・パッチを生成する（選ばれたデバイスによりカラー・パッチを形成させる）。なお、このカラー・パッチの生成の際には、ブロック１３８で選択した測色機の種類に応じて、カラー・パッチの位置（パッチ間距離、カラー・パッチの選択されたメディア上の相対位置）が自動的に変更される。この構成によりあまりにパッチ間距離が近いと良好な読み取りができない測色機、隣接するパッチ間の色差が小さいと読み取りエラーを生じる可能性のある測色機、所定メディア・サイズしか対応していない測色機などさまざまな測色機等さまざまな測色機をサポートすることが可能となり、ユーザーに選択された測色機で十分な読み取り精度が得られるカラー・パッチを形成することが可能となる。
【００３３】
以上において、一実施例においては、複数のデバイスと複数のプリント・メディアのそれぞれの組合せごとに、色材の総量についてのプリセット値を備えたデータベース、および色材の総量が４００％の場合のカラー・パッチ画像データ（ブロック１３９）、を有することができる。この場合のデータベースとしては、複数のデバイスと複数のプリント・メディアのそれぞれの組合せごとに、対応する総量情報を指定する指定子を設けて、この指定子によって総量情報を指定するようにしても良い。この場合、共通する総量情報がある場合、データ量を削減することができる。また、この総量情報として、単純に各色材の総量を規制する情報とすることも、また、各色材それぞれについての量および各色材の総量を同時に規制する情報とすることもできる。また、他の実施例においては、複数のデバイスと複数のプリント・メディアのそれぞれの組合せに応じて、色材の総量が制限されたカラー・パッチ画像データを複数備え、ユーザーの組合せ選択に応じて、この複数のうちの一つを選択するようにしても良い。以上の構成によりデバイスの種類がさまざまな電子写真（レーザー）プリンタ、インク・ジェツト・プリンタ、オフセット印刷機によらず、適切な（色材制限を守り、トナー、インクの飽和のない）カラー・パッチを生成でき、正確なカラー・パッチに基づくプロファイルの作成が実行できる。またこのカラー・パッチの生成において試行錯誤することなく、不慣れな操作者も容易にカラー・パッチを生成できる。
【００３４】
図５に戻って、ブロック１４３では、ブロック１４０で決定した、デバイスとプリンド・メディアの組合せをカラー・パッチ情報として記憶させておく。
【００３５】
ブロック１４０において、色材の総量を規制したパッチ情報に変換する際の計算の一例は、以下に示すとおりである。
【００３６】
ブロック１３９での、ＣＭＹＫパッチ情報Ｒ（赤）（０、１００、１００、０）は、たとえば色材の総量がデバイスとプリント・メディアの組合せから１５０％に絞られた場合は、ブロック１４０においてＲ（０、７５、７５、０）と変換される。
同様にして、
【００３７】
【数１】
2006203367.tif 000003
【００３８】
を４次色の総量制限値（
【００３９】
【数２】
2006203367.tif 000004
【００４０】
）とすると、
【００４１】
【数３】
2006203367.tif 000005
【００４２】
と、変換される。
【００４３】
一般的には
【００４４】
【数４】
2006203367.tif 000006
【００４５】
と表すことができる。
【００４６】
本実施形態によれば、デバイスとプリント・メディアの組合せに対応して予め色材の総量の情報（データベース）をアプリケーション側、すなわち本発明のプログラム内で保持しておき、ユーザーは、そのプログラムのＵＩ上でその組合せを容易に選択することができる。
【００４７】
従って、ユーザー側が選択した組合せを、ポインティング・デバイスなどのユーザー・インターフェースを介して入力し、データベースに問い合わせすることにより色材の総量を決定し、その値に応じて、元から保持している４００％の基本カラー・パッチ・データを加工（変換）する処理をアプリケーション側で自動化できる。このため、ユーザー側からみて煩雑な作業を行うことなく、その組合せに対して適切なカラー・パッチを出力させることができる。
【００４８】
（変形例）
上述した本実施形態では、ＣＭＹＫ値の色材を絞る方法の一例としてＣＭＹＫのうち、Ｋを保存して（式１では、Ｋの値は変換していない）、ＣＭＹをその残り成分比で分解する方法を用いたが、この色材を絞る方法は、これに限らず、どのような方法を用いても構わない。
【００４９】
また、カラー・パッチを作成する際に式１を用いるにあたり、デバイスとプリント・メディアからは色材の総量を確定させる手段のみ言及しているが、たとえば、別のＵＩ上からユーザーがＫのリミットなどを制限することにより、それを式１に反映することもできる。以下、その例を示す。Ｋのリミットを０．８（８０％）にユーザーがＵＩ上で指定した場合、
【００５０】
【数５】
2006203367.tif 000007
【００５１】
と表すことができる。
【００５２】
上述した説明では、色材の総量規制について説明してきたが、たとえば、ＣＭＹＫのそれぞれの総量のみを単純に規制する場合もあり、Ｋを保存して、また、Ｋの量を規制しながら同時にＣＭＹＫの総量を規制する場合がある、ということである。
【００５３】
上述した実施形態において、複数のデバイス、すなわち、複数の画像形成装置のうちの一つを選択するようにしたが、たとえば、ユーザーが使用するデバイスが固定された機種の場合も存在する。このような場合、そのコンピュータに接続されている、あるいはそのコンピュータにインストールされている機種を識別して、デバイスを絞り込むことができる。また、この絞り込んだ結果が一つの機種のみの場合、デバイスをその機種に決定することができ、ユーザーにはプリント・メディアのみを選択させることも可能である。この場合、ユーザー・インターフェースには、識別したデバイスの機種名などが確認のために表示することができる。以上のようにユーザーが、ＵＩ上で、デバイスとプリント・メディアのその組合せを選択することによって自動的にデバイスが使用する色材の総量が決定され、それに応じたカラー・パッチ・データを作成することが可能になる。このカラー・パッチ・データは、正常に、そのデバイスによって、そのプリント・メディア上にプリントされる。これにより、ユーザーが、カラー・パッチ作成にあたって、煩雑な操作を要求されることなく、デバイスとプリント・メディアに応じた適切なＩＣＣプロファイルを作成することができる。また同時に、色材の総量を絞ったカラー・パッチが作成できるために、すべてのパッチの色の測色値を補間計算の参照値とすることが可能となり、その結果としてＩＣＣプロファイルの作成精度を上げることが可能となる。
【００５４】
なお、本発明は、上述した実施形態の機能を実現するソフトウェアのプログラム・コードを記憶した記憶媒体を、システムあるいは装置に供給し、そのシステムあるいは装置のコンピュータ（またはＣＰＵやＭＰＵ）が記憶媒体に格納されたプログラム・コードを読み出し実行することによっても、達成されることは言うまでもない。
【００５５】
この場合、記憶媒体から読み出されたプログラム・コード自体が本発明の新規な機能を実現することになり、そのプログラム・コードを記憶した記憶媒体は本発明を構成することになる。
【００５６】
プログラム・コードを供給するための記憶媒体としては、たとえば、フロッピー（登録商標）ディスク、ハードディスク、光磁気ディスク、光ディスク、ＣＤ−ＲＯＭ、ＣＤ−Ｒ、磁気テープ不揮発性のメモリカード、ＲＯＭなどを用いることができる。
【００５７】
また、コンピュータが読み出したプログラム・コードを実行することによって、前述した実施の形態の機能が実現される他、そのプログラム・コードの指示に基づき、コンピュータ上で稼動しているＯＳなどが実際の処理の一部または全部を行い、その処理によっても前述した実施の形態の機能が実現され得る。
【００５８】
さらに、記憶媒体から読み出されたプログラム・コードが、コンピュータに挿入された機能拡張ボードやコンピュータに接続された機能拡張ユニットに備わるメモリに書き込まれた後、そのプログラム・コードの指示に基づき、その機能拡張ボードや機能拡張ユニットに備わるＣＰＵなどが実際の処理の一部または全部を行い、その処理によっても前述した実施の形態の機能が実現され得る。
【００５９】
本発明は、前述した実施の形態の機能を実現するソフトウェアのプログラム・コードを記録した記憶媒体からそのプログラムをパソコン通信など通信ラインを介して要求者にそのプログラムを配信する場合にも適用できることは言うまでもない。
【００６０】
なお、本発明は、複数の機器（たとえば、パーソナル・コンピュータ、インターフェース機器、スキャナ、プリンタなど）から構成されるシステムに適用しても、これらを組み合わせた装置（たとえば、複写機、ファクシミリ装置、複合機など）に適用してもよい。
【図面の簡単な説明】
【００６１】
【図１】本実施例の画像処理装置を搭載したアプリケーション全体のフローを示す図である。
【図２】図１のフローの中からプロファイルをビルドするフローを詳細に説明する図である。
【図３】図２のフローの中からＣｏｌｏｒｉｍｅｔｒｉｃデータを作成するフローのＡ２Ｂ１処理部を詳細に説明する図である。
【図４】図２のフローの中からＣｏｌｏｒｉｍｅｔｒｉｃデータを作成するフローのＢ２Ａ１処理部を詳細に説明する図である。
【図５】パッチ・データ選択部のフローを示した図である。
【図６】パッチ・データ選択ＵＩの一部で、デバイスとプリント・メディアを選択する部分を示した図である。
【図７】パッチ・データ選択ＵＩの一部で、測色機を選択する部分を示した図である。
【符号の説明】
【００６２】
１００  プリセット値格納部
１０１  カラー・パッチ・データ・ファイル格納部
１０２  プリセット・プリンタ／パラメータ指定部
１０３  カラー・パッチ画像生成部
１０４  測色値保存部
１０５  測色値格納部／測色部
１０６  プロファイル・ビルド部
１０７  プロファイル保存部
１０８  ＩＣＣプロファイル
１０９  測色値／プリセット・データ／パラメータ取得部
１１０  Ｇａｍｔタグ・データ作成部
１１１  Ｐｅｒｃｅｐｔｕａｌデータ作成部
１１２  Ｃｏｌｏｒｉｍｅｔｒｉｃデータ作成部
１１３  Ｓａｔｕｒａｔｉｏｎデータ作成部
１１４  ＩＣＣ準拠フォーマット整形・保存部
１１５  ＣＭＹＫグリッド作成部
１１６  ＣＭＹＫ→Ｌａｂ変換部
１１７  測色値保存部
１１８  カラー・パッチ・データ格納部
１１９  ＧＭＡ／彩度補正部
１２０  Ｌａｂ整形部
１２１  ＣＭＹＫ−Ｌａｂ  ＬＵＴ保存部
１２２  ＩＣＣ準拠フォーマット整形・保存部
１２３  ＲＧＢグリッド作成部
１２４  カラー・パッチ・データ格納部
１２５  ＲＧＢ→ＣＭＹＫ変換部
１２６  墨版生成部
１２７  ＲＧＢ−ＣＭＹＫ  ＬＵＴメモリ格納部
１２８  測色値保存部
１２９  ＣＭＹＫ→Ｌａｂ変換部
１３０  ＲＧＢ−Ｌａｂ  ＬＵＴ  メモリ格納部
１３１  Ｌａｂグリッド作成部
１３２  ＧＭＡ／彩度補正部
１３３  測色値メモリ格納部
１３４  Ｌａｂ−ＣＭＹＫ  ＬＵＴ  作成部
１３５  Ｌａｂ−ＣＭＹＫ  ＬＵＴ  保存部
【図１】
2006203367.tif 000008
【図２】
2006203367.tif 000009
【図３】
2006203367.tif 000010
【図４】
2006203367.tif 000011
【図５】
2006203367.tif 000012
【図６】
2006203367.tif 000013
【図７】
2006203367.tif 000014